(57)【要約】【課題】ガイド軸が長穴（ブッシュ）を移動するストロークによって背もたれの傾動範囲が規制されるタイプの椅子において、ガイド軸が長穴の端にコツンと当たって着座者に違和感を与えることを簡単な構造で防止する。【手段】ブッシュ２４の前端部と後端部とに上下一対ずつの突起２７を設けている。上下の突起２７は、互いの間隔がブッシュ２４の端に行くに従って小さくなるように傾斜しており、ガイド軸２５は両突起２７の傾斜面に当たって制動される。かつ、ガイド軸２５は突起２７を超えてブッシュ２４の前部端面２４ｂ又は後部端面２４ｃまで移動する。ブッシュ２４の形状を工夫するだてあるためコストアップは生じず、かつ、ガイド軸２５はブッシュ２４の端まで移動するため突起２７の耐久性が低下したりガイド軸２５が上下突起２７で挟まれて動かなくなったりすることはない。【選択図】図８
2011161123.tif 000002
【特許請求の範囲】
【請求項１】
座及び背もたれとこれらを支持するベースとが備えられており、前記座の前後スライドと前記背もたれの後傾動とのうち少なくともいずれか一方が許容されており、かつ、前記座が前後スライドする範囲又は前記背もたれが傾動する範囲若しくは両方が、前記ベース又は他の部材に設けた長穴の内部をガイド軸が相対動することによって規制されている、という構成であって、
前記長穴のうちその一端寄り部位又は他端寄り部位若しくは両端寄り部位に、前記ガイド軸の相対動に対して抵抗を付与する制動部が、前記ガイド軸が長穴の端まで相対動し切ることを阻害しない状態で設けられている、
椅子。
【請求項２】
少なくとも前記背もたれの後傾動が許容されているロッキング椅子であり、前記背もたれの傾動範囲が前記長穴とガイド軸との組み合わせによって規制されている、
請求項１に記載した椅子。
【請求項３】
前記座は、その全部又は少なくとも略前半部が前記ベースに前後スライド自在に支持されており、前記座と背もたれとは、前記背もたれの後傾動に連動して前記座が前進動するように互いに連動している、
請求項２に記載した椅子。
【発明の詳細な説明】
【技術分野】
【０００１】
本願発明は、背もたれがばね手段（弾性手段）に抗して後傾動するロッキング椅子に関する。
【背景技術】
【０００２】
背もたれが後傾動するロッキング椅子には、背もたれと座との関係で見ると、ロッキング時に座は動かずに背もたれのみが後傾するノーマルタイプと、ロッキング時に座が一緒に動くシンクロタイプとがある。シンクロタイプは更に、ロッキング時に座が背もたれと一緒に後退動（及び後傾動）するタイプと、ロッキング時に座が前進動するタイプとに大別される。本願出願人は、ロッキング時に座が前進動するタイプの一例を特許文献１で開示している。
【０００３】
背もたれの取付け構造は様々であるが、一般的には、脚に固定されたベースに背フレームを傾動自在に連結して、背フレームに背もたれを取付けていることが多い。座が動かないノーマルタイプの場合は座はベースに固定されている。他方、シンクロタイプのうちロッキング時に座が後傾するタイプでは、座をベースと背フレームとに連結して三角リンク構造にしていることが多い。これに対して特許文献１では、座はベースでスライド自在に支持している。
【０００４】
いずれにしても、ロッキング椅子では背もたれの後傾範囲（座が前後動する場合は座の前後移動範囲も）を規制する手段が必要であり、そのための手段として、ベースに設けた長穴にガイド軸をスライド自在に挿通し、ガイド軸のストロークを長穴で規制することで背もたれの傾動範囲を規制していることが多い。この場合、ガイド軸の動きをばねで支持することより、ロッキングに対する抵抗を付与している。すなわち、ガイド軸は、背もたれの傾動ストロークの規制とばねの支持との２つの機能を有している。
【０００５】
このような長穴とガイド軸とによる傾動規制手段は、ガイド軸は長穴に確実に保持されているため規制機能に優れているのみならず、ガイド軸に２つの機能を持たせ得るため構造の簡素化に貢献できる利点があるが、ロッキングに際して背もたれが後傾し切ったときや、背もたれがロッキング状態から戻り切ったときに、ガイド軸が長穴の端にコツンと当たって音が発生することがある。
【０００６】
このような現象に関連して、本願出願人の出願に係る特許文献２には、長穴及びガイド軸とは別の部位に摩擦抵抗付与部材を配置して、背もたれの急激な動きを阻止することが開示されている。
【先行技術文献】
【特許文献】
【０００７】
【特許文献１】特願２００８−２２０７５８号
【特許文献２】特開２０００−３３３７６０号公報
【発明の概要】
【発明が解決しようとする課題】
【０００８】
特許文献２は、いわば背もたれをじんわり傾動させることで停止時の衝撃を無くそうとするものであり、機能的には優れていると言えるが、専用の部材を追加して配置けねばならないため、コストアップは否めない。
【０００９】
本願発明はこのような現状に鑑み成されたものであり、長穴とガイド軸とによって背もたれ等の傾動範囲等を規制しているタイプの椅子において、ガイド軸の停止に伴って音が発生したり衝撃が作用したりすることを簡易な構造で無くすことを目的とするものである。
【課題を解決するための手段】
【００１０】
本願発明に係る椅子は、座及び背もたれとこれらを支持するベースとが備えられており、前記座の前後スライドと前記背もたれの後傾動とのうち少なくともいずれか一方が許容されており、かつ、前記座が前後スライドする範囲又は前記背もたれが傾動する範囲若しくは両方が、前記ベース又は他の部材に設けた長穴の内部をガイド軸が相対動することによって規制されている、という基本構成になっている。
【００１１】
そして、請求項１の発明では、上記基本構成において、前記長穴のうちその一端寄り部位又は他端寄り部位若しくは両端寄り部位に、前記ガイド軸の相対動に対して抵抗を付与する制動部が、前記ガイド軸が長穴の端まで相対動し切ることを阻害しない状態で設けられている。
【００１２】
請求項２の発明は、請求項１において、少なくとも前記背もたれの後傾動が許容されているロッキング椅子であり、前記背もたれの傾動範囲が前記長穴とガイド軸との組み合わせによって規制されている。更に請求項３の発明は、請求項１において、前記座は、その全部又は少なくとも略前半部が前記ベースに前後スライド自在に支持されており、前記座と背もたれとは、前記背もたれの後傾動に連動して前記座が前進動するように互いに連動している。
【発明の効果】
【００１３】
本願発明は、長穴の内面に制動部を設けるだけの簡単な構造であるため、コストアップを防止又は著しく抑制しつつ、ロッキングや座の前後動に際してコツンという衝撃音が発生することを防止できる。また、ガイド軸を制動部で停止させるのではなく、ガイド軸は長穴の端まで動いてから止まるようになっているため、制動部に過大な負担が掛かることはなくて、制動部は高い耐久性を確保できると共に、ガイド軸の移動ストロークも一定する。
【００１４】
さて、リンク式のシンクロタイプの椅子では、座の後退動及び後傾動がばね手段で支えられており、従って、非ロッキング状態で座が後退及び後傾しないようにばね手段はある程度の強さのものを使用せねばならない。これに対して請求項２の発明に係る椅子は、座をベースでスライド自在に支持されているため、ばね手段は背もたれの後傾動に抵抗を付与する強さがあれば足り、このため、弱いばねを使用できてコストダウンできる利点がある。
【００１５】
他方、請求項３で特定した椅子は、弱いばねを使用した場合に座の前後スライド及びロッキングが軽快に行われること関連していると推測されるが、座が前進して停止するときと後退して停止するときとの両方においてコツンと異音が発生しやすくなる傾向が見られた。そして、請求項２の発明では、ガイド軸が前進又は後退して停止するにおいて、ガイド軸が長穴の制動部に当たることで勢いを削がれるため、ガイド軸が長穴の端に当たって音が発生することを的確に防止できる（衝撃も防止できる。）。従って、本願発明は請求項２で特定した椅子において特に有益であると言える。
【図面の簡単な説明】
【００１６】
【図１】椅子の全体斜視図である。
【図２】非ロッキング状態（ニュートラル状態）の縦断側面図である。
【図３】ロッキング状態の縦断側面図である。
【図４】全部材を表示した分離斜視図である。
【図５】主要部材を表示した分離斜視図である。
【図６】要部の分離斜視図である。
【図７】（Ａ）は要部の分離斜視図、（Ｂ）は要部の分離平面図である。
【図８】（Ａ）は要部の分離斜視図、（Ｂ）はブッシュの斜視図である。
【図９】要部の斜視図である。
【図１０】要部の側面図である。
【図１１】実施形態の利点を示す要部側面図である。
【発明を実施するための形態】
【００１７】
次に、本願発明の実施形態を図面に基づいて説明する。以下の説明で方向を示すため「前後」「手前」「後ろ」「左右」といった文言を使用するが、これらの文言はロッキング椅子（以下、単に椅子と称する）に着座した人の向き基準にしている。「正面視」は着座者と対向した方向から見た状態になる。
【００１８】
(1).椅子の概要
まず、主として図１〜図５に基づいて概要を説明する。本実施形態の椅子は事務用のいわゆる回転椅子に適用しており、椅子は、主要要素として、脚装置１、ベース２、座３、背もたれ４、バックサポート５、肘掛け装置６を有している。
【００１９】
脚装置１はガスシリンダより成る脚支柱７を有している。脚支柱７は、放射状に延びる複数本の枝足を有する脚本体の中心部に嵌着されている。例えば図６に示すように、ベース２は上向きに開口した略函状の形態になっていて脚支柱７の上端に固定されている。そして、ベース２に座受金具（中間金具）８が前後スライド自在に装着されている。
【００２０】
肘掛け装置７はオプション部品であり、ベース２に着脱可能に取付けられている。そして、肘掛け装置７を取り外すとベース２には取付け穴が空く。そこで、取付け穴は着脱可能な樹脂カバー９で塞がれる（例えば図４〜６等参照）。
【００２１】
図４に示すように、座３は、座板（座インナーシェル）１０とその上面に張られた座クッション体１１とを備えており、座クッション体１１はクロス等の表皮材で覆われている。座板１０の略前半部は座受けシェル（座アウターシェル）１２の上面に取付けられている。座受けシェル１２及び座板１０はＰＰ（ポリプロピレン）等の合成樹脂材を素材とした射出成形品である。
【００２２】
座板１０は、大雑把に言って、前部を構成する第１部分１０ａと後部を構成する第２部分１０ｂとを有し、第１部分１０ａと第２部分１０ｂとの間には座３の左右方向に長いスリット１３の群が形成されている。スリット１３は着座者の体圧が強く作用する部分を中心にして多数形成されている（図４，５参照）。  前後の部分１０ａ，１０ｂは数箇所のスリット１３の箇所において連結片を介して連結されている。
【００２３】
スリット１３の群を設けている部分は一種のヒンジ部であり、座板１０はスリット１３の群の箇所で屈曲する。従って、座３は、前側に位置した第１部分３ａと後ろに位置した第２部分３ｂとが連結された構成になっている。なお、座受けシェル１２は座３の一部とみなすことも可能である。或いは、座３と座受けシェル１２とで座部が構成されていると言うことも可能である。
【００２４】
例えば図４に示すように、背もたれ４は、主として、バックカバー１４と、バックカバー１４の前面に取付けられた背板１５と、背板１５の前面に取付けられた背クッション体１６とで構成されている。背クッション体１６にはクロス等の表皮材が張られている。バックカバー１４を背アウターシェルと言い換え、背板１５を背インナーシェルと言い換えることも可能である。バックカバー１４及び背板１５はＰＰ等の合成樹脂材を素材とした射出成形品である。
【００２５】
バックカバー１４は、背板１５を支持する本体部１４ａと、この本体部１４ａの下端から前向き突出した前向き部１４ｂとを有している。従って、バックカバー１４は側面視で略Ｌ字状の外観を呈しており、バックカバー１４における前向き部１４ｂは座板１０の第２部分１０ｂに連結されている。また、バックカバー１４はバックサポート５に下降動自在及び傾動自在に連結されている。
【００２６】
着座した人が背もたれ４に凭れ掛かると、背もたれ４は上端が後退して下端が前進するように後傾動しつつ下降する一方、座３は全体として前進しつつ第２部分３ｂは第１部分３ａに対して後傾する。以下、各部位の詳細を説明する。
【００２７】
(2).バックサポート・ベース部
まず、バックサポート５やベース２のような支持機構部を説明する。本実施形態のバックサポート５は左右一対のパイプ材で側面視Ｌ字状に形成されており、このバック支柱５に裏側から支柱カバー１８が装着されている。左右のバックサポート５は補強材５ａで連結されている。なお、バックサポート５は樹脂材やアルミ成形品より成る一体成形品とすることも可能である。
【００２８】
例えば図４，６に示すように、バック支柱１７の基部は、ベース２の内面に固定されたベース基板１９に溶接などにて固定され、更に、補強金具２０で押さえ保持している。ベース２は既述のとおり上向きに開口した箱形の外観を呈しており、後端は開放されている。そして、後部内面に既述のベース基板１９が溶接によって固着されている。例えば図２，３に示すように、ベース２とベース基板１９には上下に開口した受け筒２１が固着されており、この受け筒２１に脚支柱７の上端を下方から嵌着している。
【００２９】
例えば図８に明示するように、ベース２の左右両側板２ａには前後長手の長穴２３が形成されており、この長穴２３に樹脂製のブッシュ２４を装着し、左右両ブッシュ２４に左右長手のガイド軸２５が前後スライド自在に挿通されている。ブッシュ２４は長穴２３に外側から嵌め込んでおり、ベース３の外面に当たるフランジ２４ａを有している。ガイド軸２５は、座受金具８の後部に設けた下向きの軸受け片２６に挿通している。
【００３０】
そして、図８（Ｂ）及び図１０に明示するように、ブッシュ２４の前後両端部の上内面と下内面とに、請求項に記載した制動部の一例として突起２７を相対向する状態で一体に形成している。突起２７の左右横幅寸法Ｗ２はブッシュ２４の左右横幅寸法Ｗ１よりも小さい寸法（約半分）になっており、かつ、ブッシュ２４の端面２４ｂ、２４ｃに近づくに従って互いの間隔が小さくなるように側面視で傾斜している。
【００３１】
また、ブッシュ２４の溝の基本的な寸法はガイド軸２５の外径よりも僅かに小さいが、上下突起２７の間隔は、前後方向の大部分の範囲においてガイド軸２５の外径よりも大径に設定しており、このため、ガイド軸２５は突起２７に当たることで摩擦抵抗が発生し、これによってガイド軸２５は前端部と後端部とで動きが抑制される。この場合、ブッシュ２４はベース２の長穴２３に嵌まっているので、突起２７はガイド軸２５の押圧作用で弾性変形するが、ガイド軸２５が突起２７を弾性変形させながらブッシュ２４の前部内端面２４ｂと後部内面２４ｃとに到達するように設定している。
【００３２】
詳細は省略するが、座受金具８の前部は座板１０の下面に設けたポケット部に後ろから嵌まっており、その状態で、座板１０は座受金具８の後部に左右２本のねじで締結されている。
【００３３】
例えば図８に明示するように、ベース２の内部には、ロッキング用弾性支持手段の一例として、前後方向に伸縮するロッキンばね用のコイルばね２８を配置している。他方、座受金具８の後端部には、下向きの後部ばね受け支持片２９が形成されている。コイルばね２８は後部ばね受け３０を介して後部ばね受け支持片２９で後ろから支持されている。また、コイルばね２８の前端は前部ばね受け３１を介してベース２の前壁で支持されている。従って、座受金具８はコイルばね２８に抗して前進動する。
【００３４】
例えば図８に示すように、ベース２における左右両側板２ａの上端には左右外向きの水平片２ｂが一体に形成されており、この水平片２ｂに樹脂製のスライド補助体３３が装着されている。スライド補助体３３は水平片２ｂを抱持するように断面略溝形の形態になっている。また、座受金具８の左右両側部には、スライド補助体３３を外側から包み込む溝形の抱持部３４が形成されている。この抱持部３４がスライド補助体３３に対してスライドすることにより、座受金具８はベース２に対してスムースに前後摺動する。
【００３５】
詳細は省略するが、座板１０の第１部分１０ａは係合爪同士より成るキャッチ手段で座受けシェル１２に連結されており、また、座板１０の第２部分１０ａも係合爪と係合穴との組み合わせによるキャッチ手段でバックカバー１４の前向き部に取付けられている。
【００３６】
(3).背もたれの構造
例えば図５から理解できるように、バックカバー１４の左右中間部には下向きに開口した長溝３５が形成されており、このためバックカバー１４の前向き部１４ｂは左右に分断されている。そして、バックカバー１４における左右前向き部１４ｂの前端には軸受け部３６が形成されており、この左右軸受け部３６とベース２における左右両側板２ａの後端とがガイド軸２５で連結されている。
【００３７】
例えば図４から理解できるように、長溝３５は、バックカバー１４における本体部１４ａの上下中途高さ位置まで延びている。但し、前向き部１４ｂの前後方向の中途部及び本体部１４ａの上下方向中途部には、長溝３５を跨ぐ複数の連結部３７が一体に形成されている。
【００３８】
例えば図５に示すように、バック支柱１７の上端部には補強ブラケット３８が固定されており、この補強ブラケット３８に、ガイドピン３９が固定されている。ガイドピン３９の左右両端部は補強ブラケット３８の左右外側に露出している。
【００３９】
他方、バックカバー１４における長溝３５の左右内側面の上部には上下長手のガイド溝４０が向かい合う状態に形成されている。左右のガイド溝４０には溝形の樹脂製ガイド部材４１が嵌まっており、このガイド部材４１の溝にガイドピン３９の端部が上下スライド自在に嵌まっている。ガイド部材４１は側面視において緩い曲率で前向き凹状に湾曲している。ブッシュ２４の内端面２４ｂ，２４ｃの側面視形状は、ガイド軸２５の曲率とおなじでもよいし、小さくてもよいし大きくてもよい。また、平坦面であってもよい。
【００４０】
(3).まとめ
以上の構成において、ロッキング状態では、姿勢が一定のバックサポート５に対して背もたれ４が沈み込みながら後傾する。これと同時に座３は全体として前向きに移動しつつ、第２部分３ｂは第１部分３ａに対して後傾する。ロッキング状態から身体を起こすと、背もたれ４及び座３はコイルばね２８によって元の状態に戻る。
【００４１】
そして、背もたれ４の傾動範囲と座３の前後動範囲とはガイド軸２５がブッシュ２４の内部を移動するストロークによって規制されるが、ガイド軸２５は前進し切るやや少し前の位置及び後退し切るやや少し前の位置において突起２７に当たることにより、移動に対する摩擦抵抗が付与され、速度を減殺した状態でブッシュ２４の前部内面２４ｂ又は後部内面２４ｃに当たる。
【００４２】
このため、ガイド軸２５がブッシュ２４にコツンと当たって背もたれ４の動きが急停止することによって使用者に違和感を与えることを防止できる。また、既述のとおりガイド軸２５はブッシュ２４の前部内面２４ｂ又は後部内面２４ｃに当たるため、突起２７に過大な負荷が作用したり、ガイド軸２５が上下突起２７の間に挟まってしまって動かなくなるような不都合は生じない。
【００４３】
さて、ベース２の長穴２３はバーリング加工によって内向きフランジが形成されており、このためブッシュ２４は広い面積で支持されている。そして、バーリング加工によって内向きフランジを形成する場合、内向きフランジの付け根箇所には必ず丸みが存在している。換言すると、長穴２３の内周面のうちベース２の外側面に近い部分は正断面視において丸みを帯びている。従って、ブッシュ２４の外面を平坦面と成していると、ブッシュ２４の外面と長穴２３の内面との間には、ベース２の外面に寄った部位にて空間が空く。
【００４４】
そして、ガイド軸２５が突起２７に当たると突起２７は上下外側に押圧されて逃げようとするため、仮に突起２７をブッシュ２７の内面の横幅一杯に形成すると、ガイド軸２５が突起２７に当たるとブッシュ２４のうち外端部が上下外側に逃げて曲がり変形する現象が発生し、すると、ブッシュ２４には上下方向に曲がり変形することに伴ってベース２の外側に押しやろうとする水平分力が作用することになり、このため、ブッシュ２４が長穴２３から抜け勝手になってしまう。
【００４５】
これに対して本実施形態では、突起２７は、ブッシュ２４の内面のうちベース２における内向きフランジの平坦面と重なった部分のみに位置するように、ブッシュ２４の左右横幅Ｗ１よりも小さい巾寸法Ｗ２に設定しているため、ガイド軸２７が当たることがベース２から抜け出る方向に移動することはない。この点、本実施形態の利点の一つである。
【００４６】
更に、突起２７の横幅寸法Ｗ２をブッシュ２４の横幅寸法Ｗ１よりも小さく設定していることは、潤滑用グリスの保持部を確保するという機能も有している。つまり、ガイド軸２５は突起２７を押し潰すような状態に弾性変形させてブッシュ２４の端２４ａ，２４ｂに当たるが、本実施形態では突起２７の横幅寸法Ｗ２がブッシュ２４の横幅寸法Ｗ１よりも小さいため（突起２７が内側に寄っているため）、ガイド軸２５が移動し切った状態で突起２７の外側に空間４２が存在しており、この空間をグリス溜まりとして利用できるのである。これにより、ガイド軸２５のスムースな動きを確保しつつ、コツンという異音が発生することを防止できる。
【００４７】
なお、詳細は省略するが、ガイド軸２５が移動する部分は座受けシェル（座アウターシェル）１２に設けたポケット部で外側から囲われており、ガイド軸２５のためのグリスや座受金具８のためのグリスが滴下しても、これらは座受けシェル（座アウターシェル）１２に設けたポケット部に受けられるようになっており、グリスが床に落ちることはないように配慮されている。なお、ブッシュ２４の内面のうち突起２７とは別の部位にグリス溜まり部を形成することも可能である。
【００４８】
(4).その他
本願発明は上記の実施形態の他にも様々に具体化できる。例えば本願発明はロッキングに際して座が後退（及び／又は後傾）するシンクロタイプの椅子にも適用できるし、背もたれのみが後傾する椅子にも適用できる。
【００４９】
また、制動手段としては突起には限らないのであり、例えばブッシュ（長穴）の端部の内面にエラストマーのような摩擦係数が大きい部材からなる抵抗付与部を設け、抵抗付与部の溝巾寸法をガイド軸の外径よりも僅かに小さくするといったことも可能である。ブッシュの前後内端面（或いは長穴の前後内端面）にゴム等の緩衝部を一体に設けることも可能である。制動部として突起を設ける場合、突起をブッシュの横幅巾方向（ガイド軸の軸線方向）に沿って複数条設けることも可能である。
【産業上の利用可能性】
【００５０】
本願発明は椅子に具体化して有用性を発揮できる。従って産業上利用できる。
【符号の説明】
【００５１】
２  ベース
３  座
４  背もたれ
７  脚支柱
８  座受金具
１０  座板
１２  座受けシェル
２３  ベースに設けた長穴
２４  長穴を有するブッシュ
２５  ガイド軸
２７  制動部の一例としての突起
２８  ロッキング用ばね手段の一例としてのコイルばね
【図１】
2011161123.tif 000003
【図２】
2011161123.tif 000004
【図３】
2011161123.tif 000005
【図４】
2011161123.tif 000006
【図５】
2011161123.tif 000007
【図６】
2011161123.tif 000008
【図７】
2011161123.tif 000009
【図８】
2011161123.tif 000010
【図９】
2011161123.tif 000011
【図１０】
2011161123.tif 000012
【図１１】
2011161123.tif 000013
【手続補正書】
【提出日】平成22年2月16日(2010.2.16)
【手続補正２】
【補正対象書類名】明細書
【補正対象項目名】０００１
【補正方法】変更
【補正の内容】
【０００１】
本願発明は、椅子に関する。